(57)【要約】【課題】  陳列する商品に応じて高さを変更できる可動棚を設けることができる非金属製の什器を提供すること。【解決手段】  棚支持部を備える什器本体と、該什器本体に水平状態に支持される１つ以上の可動棚からなる非金属製の什器であって、前記什器本体は、所定形状の板部材の左右部位を対向状態に折り曲げて左右の壁部を形成し、該左右の壁部は、それぞれ上下方向に所定間隔の複数対の切り込み状の棚支持部を有し、前記可動棚の左右部位には、前記棚支持部に挿入状態で支持される被支持部が一体的に形成され、前記什器本体及び可動棚は、木材繊維を主原料とした硬質繊維ボード材で形成されていることを特徴とする。【選択図】  図１
2020116322.tif 000002
【特許請求の範囲】
【請求項１】
棚支持部を備える什器本体と、該什器本体に水平状態に支持される１つ以上の可動棚からなる非金属製の什器であって、
前記什器本体は、所定形状の板部材の左右部位を対向状態に折り曲げて左右の壁部を形成し、該左右の壁部は、それぞれ上下方向に所定間隔の複数対の切り込み状の棚支持部を有し、前記可動棚の左右部位には、前記棚支持部に挿入状態で支持される被支持部が一体的に形成され、前記什器本体及び可動棚は、木材繊維を主原料とした硬質繊維ボード材で形成されている什器。
【請求項２】
前記棚支持部は、略逆台形状の切り込みで形成され、前記被支持部は、略Ｕ字状の舌片状に形成されていることを特徴とする請求項１に記載の什器。
【請求項３】
前記什器本体は、その上端部又は下端部の少なくともいずれかに連結部を有し、前記連結部を介して複数個の前記什器本体を連結することができることを特徴とする請求項１又は請求項２のいずれかに記載の什器。
【発明の詳細な説明】
【技術分野】
【０００１】
本発明は商品の陳列棚として用いられる紙製の什器に関する。
【背景技術】
【０００２】
従来、紙製の什器としては「一対の側部の間に棚板を架け渡し、扁平に折り畳み可能な組立棚であって、  前記棚板は、少なくとも２つ折り可能な第１棚板と、前記第１棚板の前記折り部を挟んで一方の側に貼着され、前記第１棚板の展開時に前記第１棚板の前記折り部を挟んで他方の側を係止する第２棚板とを備えることを特徴とする組立棚。」（特許文献１）が知られている。
【０００３】
しかし、このような組立棚は、強度が低いため、什器本体に固定した状態で棚を設けなければならず、商品の高さに合わせて上下方向に移動させることができる可動棚を設置することができなかった。
【先行技術文献】
【特許文献】
【０００４】
【特許文献１】特開２０１３−２５５６３１号公報
【発明の概要】
【発明が解決しようとする課題】
【０００５】
本発明は以上のような従来の欠点に鑑み、陳列する商品に応じて高さを変更できる可動棚を設けることができる非金属製の什器を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明の請求項１に記載の什器は、棚支持部を備える什器本体と、該什器本体に水平状態に支持される１つ以上の可動棚からなる非金属製の什器であって、前記什器本体は、所定形状の板部材の左右部位を対向状態に折り曲げて左右の壁部を形成し、該左右の壁部は、それぞれ上下方向に所定間隔の複数対の切り込み状の棚支持部を有し、前記可動棚の左右部位には、前記棚支持部に挿入状態で支持される被支持部が一体的に形成され、前記什器本体及び可動棚は、木材繊維を主原料とした硬質繊維ボード材で形成されていることを特徴とする。
【０００８】
請求項２に記載の什器の前記棚支持部は、略逆台形状の切り込みで形成され、前記被支持部は、略Ｕ字状の舌片状に形成されていることを特徴とする。
請求項３に記載の什器の前記什器本体は、その上端部又は下端部の少なくともいずれかに連結部を有し、前記連結部を介して複数個の前記什器本体を連結することができることを特徴とする
【発明の効果】
【０００９】
以上の説明から明らかなように、本発明にあっては次に列挙する効果が得られる。
（１）請求項１に記載の発明においては、木材繊維を主原料とした硬質繊維ボード材を用いることにより、加工が容易で、かつ、高強度の什器とすることができるため、多数の切込み状の棚支持部を什器本体に形成することができる。
したがって、陳列する商品に応じて可動棚を上下方向の任意の位置に取り付けて支持することができる。
（２）木材繊維を主原料とした硬質繊維ボード材を用いることにより、ダンボール等の一般の紙素材と比べて、吸水時とその後の強度劣化・形状変化を少なくすることができる。
したがって、什器本体や可動棚が水に濡れてしまっても、一定の強度を保つことができる。
（３）請求項２に記載の発明も前記（１）〜（２）と同様な効果が得られるとともに、可動棚をスムーズに設置することができる。
（４）請求項３に記載の発明も前記（１）〜（３）と同様な効果が得られるとともに、複数個の什器本体を連結することができる。
【図面の簡単な説明】
【００１０】
図１乃至図７は本発明の第１の実施形態を示す説明図である。
【図１】第１の実施形態の什器の正面図。
【図２】什器の平面図。
【図３】什器の斜視図。
【図４】什器本体の展開図。
【図５】什器本体の斜視図。
【図６】可動棚の展開図。
【図７】可動棚の斜視図。
【発明を実施するための形態】
【００１１】
以下、図面に示す本発明を実施するための形態により、本発明を詳細に説明する。
【００１２】
図１乃至図７に示す本発明を実施するための第１の形態において、１は商店等の店舗に設置され、商品を陳列する什器であって、この什器１は、図１乃至図３に示すように、棚支持部２を備える什器本体３と、該什器本体３の棚支持部２に水平状態に支持される少なくとも１つ以上の可動棚４、本実施形態では、４つの可動棚４とで構成されている。
【００１３】
什器本体３は、所定形状の板部材を適宜に折り曲げて棚枠状に形成されている。すなわち、図４及び図５に示すように、木材繊維を主原料とした１枚の硬質繊維ボード材の左右部位を対向状態に折り曲げて左右の壁部５が形成され、この左右の壁部５には、それぞれ上下方向に所定間隔の複数対の切込み状の棚支持部２を有している。
【００１４】
この什器本体３は、図４に示すように、一枚の硬質繊維ボード材を折り曲げて形成されるもので、図４において両側部付近に破線で示した折り曲げ線３ａをすべて内側方向（谷折り）に折り曲げ（平面視において両側部の折り返した部位が方形状になるように折り曲げ）、左右の壁部５としている。
【００１５】
この左右の壁部５には、それぞれ上下方向に所定間隔を隔てて、左右で対向するように複数個の切込み状の棚支持部２が形成されており、この棚支持部２は、本実施形態では、略逆台形状の切り込みとなっている。
【００１６】
ところで、左右の壁部５の端部を什器本体３の背面部６に固定する際には、接着又は非金属のピン等の留め具を用いることが望ましい。このように固定することにより、什器本体３が不要になった場合に、容易に可燃ごみとして廃棄することができる。
【００１７】
また、本実施形態では、什器本体３の背面部６の略中央部の上端部に連結部７が形成されている、この連結部７を他の同形状の什器本体３の下端部に重ねて、連結ピン等により両者を連結することにより、上下方向に複数個の什器本体を連結することができる。
なお、連結部７は什器本体３の背面部６の略中央部の下端部側に形成してもよく、上端部及び下端部の両方に形成してもよい。
【００１８】
前記可動棚４は、図６に示すように、什器本体３と同様に木材繊維を主原料とした硬質繊維ボード材が用いられ、この硬質繊維ボード材を折り曲げて形成されるもので、図６に破線で示した折り曲げ線４ａをすべて内側方向（谷折り）に折り曲げる。この硬質繊維ボード材に形成された方形状の透孔８に係止片９を挿入して係止するとともに、この係止片９が透孔８から脱落しないように固定して棚部材を組み立てる。
このようにして折り曲げて形成された可動棚４には、図７に示すように、商品陳列部１０と商品脱落防止用の周壁１１が形成されている。
【００１９】
可動棚４の左右部位の周壁１１には前記棚支持部２に挿入状態で支持される略Ｕ字状に切り込みを入れ、周壁１１の外部へ舌片状に突出させた被支持部１２が一体的に形成されている。この被支持部１２は、可動棚４の左右部位の周壁１１に対してわずかに奥方向に傾斜して形成されており、その下端部付近がＵ字状で、上部の左右部位にくびれ状の係合部１２ａが形成されている。
【００２０】
この被支持部１２は、前述の棚支持部２に挿入されて支持されるが、わずかに奥方向に傾斜して形成されているため、スムーズに棚支持部２に挿入することができ、かつ、係合部１２ａが棚支持部２の逆台形状の切り込みのテーパー部分に係合するため脱落しづらい状態で着脱自在に支持される。
【００２１】
棚支持部を略逆台形状に形成し、前記被支持部を略Ｕ字状の舌片状に形成することにより、被支持部１２を棚支持部２にスムーズに挿入することができ、可動棚４の設置や上下移動を容易に行うことができる。
【００２２】
また、什器本体３や可動棚４は、硬質繊維ボード材で形成されているため、容易に加工でき、かつ、強度や耐久性に優れるため、可動棚４を何度も上下移動させたり、重量のある商品を棚に陳列しても破損等することを防止できる。
【００２３】
什器本体３や可動棚４は、硬質繊維ボード材で形成され金属部品を使用していないため、廃棄する際にも容易に廃棄することができる。
【００２４】
この什器１を使用する場合には、什器１を売り場に載置して商品を可動棚４に陳列することも可能であるが、主に、什器１の上端部付近を他の商品陳列棚やラックにフック等を用いて固定し、他の商品陳列棚やラックから吊り下げた状態で設置し、商品を可動棚４に陳列して使用される。
【００２５】
このように吊り下げ状態で設置する場合、上端部の連結部７にフック通し孔等を形成し、吊り下げることが望ましい。
【産業上の利用可能性】
【００２６】
本発明は什器を製造する産業で利用される。
【符号の説明】
【００２７】
１：什器、                        ２：棚支持部、
３：什器本体、                    ４：可動棚、
５：壁部、                        ６：背面部、
７：連結部、                      ８：透孔、
９：係止片、                      １０：陳列部、
１１：周壁、                      １２：被支持部。
【図１】
2020116322.tif 000003
【図２】
2020116322.tif 000004
【図３】
2020116322.tif 000005
【図４】
2020116322.tif 000006
【図５】
2020116322.tif 000007
【図６】
2020116322.tif 000008
【図７】
2020116322.tif 000009